(57)【要約】      （修正有）【課題】台車上の金型等が重いものであっても弱い力でも移動させることが出来るようにすると共に、多段式整理棚としても使用できて空間の有効利用ができ、作業効率を高め、安全で安価なものを提供する。【解決手段】整理棚本体１は、複数段の収納部２を設けた多段式とし、各収納部２の上面は開放して出入空間３を列設してあり、各収納部２を走行自在な複数個の台車５に物品の載置を自在とし、出入空間３を開放自在として、二段目以降の収納部２の各台車５位置の一側部に駆動歯車７に噛合し回転する一対のアイドラ歯車８を設け、アイドラ歯車８間にチェーン９を張設して台車５の取付金具１０に取り付ける。駆動歯車７はハンドル１１により回転自在とし、駆動歯車７、アイドラ歯車８、チェーン９は安全カバーにより覆い、又回転止め装置を設けて安全を図った。【選択図】図１
2006219211.tif 000002
【特許請求の範囲】
【請求項１】
整理棚本体は、複数段の収納部を設けた多段式としてあって、各収納部の上面は開放して出入空間を列設してあり、最下段収納部の載置面と、各収納部の上面を走行自在なるよう列設した複数個の台車に金型等の物品の載置を自在とし、該台車を移動させることにより前記出入空間の少なくとも一つを開放自在としてあり、二段目以降の収納部の各台車位置の一側部に駆動歯車と該駆動歯車に噛合し回転する一対のアイドラ歯車を設け、アイドラ歯車間にチェーンを張設してチェーンの両端を移動させる台車の取付金具に取り付けてあると共に、隣接する台車のチェーン、駆動歯車、アイドラ歯車は前者台車のそれらと齟齬する位置に設けてあり、駆動歯車はハンドルにより回転自在とし、駆動歯車、アイドラ歯車、チェーン安全カバーにより覆った多段式整理棚。
【発明の詳細な説明】
【技術分野】
【０００１】
本発明は金型等を収納したり、或は取り出すのに便利な整理棚に関するもので、主に三段以上の収納部を有する整理棚に関するものである。
【従来の技術】
【０００２】
従来のこの種の整理棚は二段式とし、取っ手による手動により台車を左右に移動させて出入空間を作り、この出入空間より金型の出し入れを行うものがある。
【従来の技術の欠点】
【０００３】
然しながらこの多段式のものにあっては取っ手を持って手動により台車を動かすものであるが、台車上の金型は軽いものであるときは手動でも良いが、数トンもの重いものであるときは手動での移動は困難を極め作業効率を悪くし、然も作業の姿勢が不自然となって力が入らず怪我の原因になるなど安全面からもその改善が要望されており、且つ安価なものが望まれている。又整理棚が３段以上になった場合は中間に支柱が必要となるが、台車の側部に突出している取っ手が台車の移動によって支柱に衝突してしまうので、整理棚が３段以上の多段式棚には取っ手方式は使用できず、狭い空間の有効利用が出来ないなどの欠点がある。
【発明の開示】
【発明が解決しようとする課題】
【０００４】
そこで本発明はこれらの欠点を解消すべく開発されたもので、台車上の金型等が数トンもの重いものであっても比較的弱い力でも移動させることが出来るようにすると共に、三段以上の多段式整理棚としても使用できて空間の有効利用ができ、作業効率を高め、安全で安価なものを提供しようとするものである。
【課題を解決するための手段】
【０００５】
整理棚本体は、複数段の収納部を設けた多段式としてあって、各収納部の上面は開放して出入空間を列設してあり、最下段収納部の載置面と、各収納部の上面を走行自在なるよう列設した複数個の台車に金型等の物品の載置を自在とし、該台車を移動させることにより前記出入空間の少なくとも一つを開放自在としてあり、二段目以降の収納部の各台車位置の一側部に駆動歯車と該駆動歯車に噛合し回転する一対のアイドラ歯車を設け、アイドラ歯車間にチェーンを張設してチェーンの両端を移動させる台車の取付金具に取り付けてあると共に、隣接する台車のチェーン、駆動歯車、アイドラ歯車は前者台車のそれらと齟齬する位置に設けてあり、駆動歯車はハンドルにより回転自在とし、駆動歯車、アイドラ歯車、チェーンは安全カバーにより覆ったものである。
【発明の効果】
【０００６】
本発明の整理棚本体は、複数段の収納部を設けた多段式としてあって、各収納部の上面は開放して出入空間を列設してあり、最下段収納部の載置面と、各収納部の上面を走行自在なるよう列設した複数個の台車に金型等の物品の載置を自在とし、該台車を移動させることにより前記出入空間の少なくとも一つを開放自在としてあり、二段目以降の収納部の各台車位置の一側部に駆動歯車と該駆動歯車に噛合シ回転する一対のアイドラ歯車を設け、アイドラ歯車間にチェーンを張設してチェーンの両端を移動させる台車の取付金具に取り付けてあると共に、隣接する台車のチェーン、駆動歯車、アイドラ歯車は前者台車のそれらと齟齬する位置に設けてあり、駆動歯車はハンドルにより回転自在とすると共に、駆動歯車、アイドラ歯車、チェーンは安全カバーにより覆ってなるもので、台車上の金型等が数トンもの重いものであっても比較的弱い力でも移動させることが出来ると共に、三段以上の多段式としても使用できて空間の有効利用が出来、作業者は定位置でハンドルを回転させればいいので作業効率を高め、安全で安価なものを提供することが出来る。
【実施例】
【０００７】
本発明を図示の実施例によって詳記すると、整理棚本体１は、複数段の収納部２、２…を設けた多段式としてあって、各収納部２の上面は開放して出入空間３、３…を列設してあり、最下段収納部２の載置面４と、各収納部２，２…の上面を走行自在なるよう列設した複数個の台車５，５…に金型等の物品の載置を自在としてある。
【０００８】
これらの台車５，５…は、収納部３の横枠６の上面のレール手段１４を移動させることにより前記出入空間３，３…の少なくとも一つを開放自在としてある。
【０００９】
二段目以降の収納部２の各台車５位置の一側部の横枠６に駆動歯車７と該駆動歯車７に噛合し回転する一対のアイドラ歯車８、８を設け、このアイドラ歯車８，８間にチェーン９を張設してチェーン９の両端を移動させる台車５の取付金具１０に取り付けてある。
【００１０】
隣接する台車５のチェーン９、駆動歯車７、アイドラ歯車８、８は前者台車５のそれらと齟齬する位置に設けて互いのチェーン９，９の走行が自在としてあり、駆動歯車７はハンドル１１により回転自在としてある。
【００１１】
一方のアイドラ歯車８(或は駆動歯車７)には、回転止め装置１２が設けて停止自在とし、駆動歯車７、アイドラ歯車８、チェーン９、回転止め装置１２は安全カバー１３により覆うようにする。回転止め装置１２はレバー１５により停止用歯車１６をアイドラ歯車７に噛合させて、アイドラ歯車８，８の不用意な回転をしないようにするものであるが、回転止め装置１２はその他の汎用手段でも良く、例えば台車の停止位置で自動的にロックの自在としても良く、又必ずしも設けなくとも良い。
【００１２】
図中１７，１７…は各収納部２，２…支える支柱、１８は横揺れ防止ベアリングである。
【発明の作用】
【００１３】
本発明は以上の如く具現されるもので、先ずレバー１５により回転止め装置１２を外し、ハンドル１１を回転させることにより固定位置で回転する駆動歯車７、アイドラ歯車８、チェーン９が回転し台車５は台車一個分幅の距離を移動する。再び回転止め装置１２を掛けて必要な出入空間３を開放し、下段の収納部２の載置面４或は台車５上にクレーン等により金型等を吊下げ、載置する。隣接する台車５，５も順次移動させて必要位置の出入空間３を開放していく。回転止め装置１２を設けない場合は他の手段により不用意な回転を止めるようにすれば良い。
【図面の簡単な説明】
【００１４】
【図１】本発明の多段式整理棚の正面説明図。
【図２】同平面説明図。
【図３】同部分平面拡大説明図
【図４】回転止め装置を施した正面説明図
【符号の説明】
【００１５】
１    整理棚本体
２，２…  収納部
３，３…出入空間
４    載置面
５、５…台車
６  横枠
７  駆動歯車
８，８アイドラ歯車
９  チェーン
１０  取付金具
１１  ハンドル
１２  回転止め装置
１３安全カバー
１４  レール手段
１５  レバー
１６  停止用歯車
１７  支柱
【図１】
2006219211.tif 000003
【図２】
2006219211.tif 000004
【図３】
2006219211.tif 000005
【図４】
2006219211.tif 000006